(57)【要約】【課題】ＭＦＰ等の画像処理装置を利用し、ユーザが現在利用している画像処理装置上にタイミングよく広告を表示することで、広告を参照する頻度を向上する。【解決手段】ユーザから要求されたジョブの処理を管理するジョブ管理手段と、処理中のジョブのジョブ種別に応じて表示する広告を管理する広告管理手段と、広告を表示する広告表示手段とを備え、前記ジョブ管理手段は、前記広告表示手段による広告の表示状況に応じてジョブの処理を停止・再開する。【選択図】図１
2014174928.tif 000002
【特許請求の範囲】
【請求項１】
ユーザから要求されたジョブの処理を管理するジョブ管理手段と、
処理中のジョブのジョブ種別に応じて表示する広告を管理する広告管理手段と、
広告を表示する広告表示手段と
を備え、
前記ジョブ管理手段は、前記広告表示手段による広告の表示状況に応じてジョブの処理を停止・再開する
ことを特徴とする画像処理装置。
【請求項２】
請求項１に記載の画像処理装置において、
前記ジョブ管理手段は、設定変更が可能な設定情報に基づき、ユーザから要求されたジョブの処理の優先順を変更する
ことを特徴とする画像処理装置。
【請求項３】
請求項１または２のいずれか一項に記載の画像処理装置において、
前記広告管理手段は、設定変更が可能な設定情報に基づき、表示完了時間の経過により広告の表示を完了する
ことを特徴とする画像処理装置。
【請求項４】
請求項１乃至３のいずれか一項に記載の画像処理装置において、
前記広告に対するユーザ入力を受け付ける手段
を備えたことを特徴とする画像処理装置。
【請求項５】
ユーザから要求されたジョブの処理を管理するジョブ管理手段と、
処理中のジョブのジョブ種別に応じて表示する広告を管理する広告管理手段と、
広告を表示する広告表示手段と
を備え、
前記ジョブ管理手段は、前記広告表示手段による広告の表示状況に応じてジョブの処理を停止・再開する
ことを特徴とする画像処理システム。
【請求項６】
ユーザから要求されたジョブの処理を管理するジョブ管理工程と、
処理中のジョブのジョブ種別に応じて表示する広告を管理する広告管理工程と、
広告を表示する広告表示工程と
を備え、
前記ジョブ管理工程は、前記広告表示工程による広告の表示状況に応じてジョブの処理を停止・再開する
ことを特徴とする画像処理方法。
【請求項７】
画像処理装置の制御部を構成するコンピュータを、
ユーザから要求されたジョブの処理を管理するジョブ管理手段、
処理中のジョブのジョブ種別に応じて表示する広告を管理する広告管理手段、
広告を表示する広告表示手段
として機能させ、
前記ジョブ管理手段は、前記広告表示手段による広告の表示状況に応じてジョブの処理を停止・再開する
画像処理プログラム。
【発明の詳細な説明】
【技術分野】
【０００１】
本発明は、画像処理装置の制御技術に関する。
【背景技術】
【０００２】
屋外や店頭などに設置された液晶ディスプレイ等の映像表示装置により、近くにいる人や通りすがりの人に案内情報や広告などを表示するデジタルサイネージが採用され始めている。
【０００３】
また、デジタルサイネージを利用し、ユーザからの入力情報を収集することで、内容に応じたクーポンを印刷出力する技術が提案されている。特許文献１には、トレンド情報の取得（トレンドリサーチ）を目的として、デジタルサイネージシステムにおいて、表示端末にアクセスする者によりタッチパネルによる情報の入力が可能な構成が開示されている。
【発明の概要】
【発明が解決しようとする課題】
【０００４】
上述したように、デジタルサイネージに関して種々の工夫がなされているが、今までのデジタルサイネージシステムでは、広告を表示する目の前にユーザが足を運ぶ頻度が低く、ユーザが広告を見る機会も低く、ましてやユーザからの情報入力を促す事も難しいという問題があった。
【０００５】
本発明は上記の従来の問題点に鑑み提案されたものであり、その目的とするところは、ＭＦＰ（Multi Function Peripheral、Multi Function Printer）等の画像処理装置を利用し、ユーザが現在利用している画像処理装置上にタイミングよく広告を表示することで、広告を参照する頻度を向上することにある。
【課題を解決するための手段】
【０００６】
上記の課題を解決するため、本発明にあっては、ユーザから要求されたジョブの処理を管理するジョブ管理手段と、処理中のジョブのジョブ種別に応じて表示する広告を管理する広告管理手段と、広告を表示する広告表示手段とを備え、前記ジョブ管理手段は、前記広告表示手段による広告の表示状況に応じてジョブの処理を停止・再開するようにしている。
【発明の効果】
【０００７】
本発明にあっては、ＭＦＰ等の画像処理装置を利用し、ユーザが現在利用している画像処理装置上にタイミングよく広告を表示することで、広告を参照する頻度を向上することができる。
【図面の簡単な説明】
【０００８】
【図１】本発明の一実施形態にかかる画像処理装置の構成例を示す図である。
【図２】操作部もしくは端末装置のアプリが本体部の機能を利用する場合のアプリ操作データの流れを示す図である。
【図３】操作部の外観例を示す図である。
【図４】本体部２および操作部３のソフトウェア構成例を示す図である。
【図５】実施形態の処理例を示すシーケンス図である。
【図６】広告表示の処理例を示すシーケンス図である。
【図７】広告管理モジュールの処理例を示すフローチャートである。
【発明を実施するための形態】
【０００９】
以下、本発明の好適な実施形態につき説明する。
【００１０】
＜構成＞
図１は本発明の一実施形態にかかる画像処理装置１の構成例を示す図である。
【００１１】
図１において、画像処理装置１は本体部２と操作部３とを備え、本体部２と操作部３はケーブル４により接続されている。なお、本体部２と操作部３は、ケーブル４による有線接続に代えて、無線（赤外線を含む）接続としてもよい。
【００１２】
画像処理装置１として、画面表示やキー入力の操作を行う部分を操作部３として本体部２から独立させることで、本体部２の負荷が高くても操作レスポンスを低下させないようにすることができる。操作部３にはAndroid OS等の独立したＯＳ（Operating System）が搭載され、本体部２とは独立に動作する。
【００１３】
本体部２は、本体部２の制御動作を司る本体部コントローラ２１と、原稿の読み取りを行うスキャナデバイス２２と、用紙に印刷を行うプロッタデバイス２３とを備えている。
【００１４】
本体部２は、ＬＡＮ（Local Area Network）、ＷＡＮ（Wide Area Network）、インターネット等のネットワーク５を介してＰＣ（Personal Computer）等の端末装置６からアクセスを受け付けることができるとともに、無線アクセスポイント７を介してスマートフォン、タブレット等の端末装置８からアクセスを受け付けることができるようになっている。端末装置８からBluetooth（登録商標）等の近距離無線を使って本体部２に直接にアクセスするようにしてもよい。
【００１５】
操作部３は、操作部３の制御動作を司る操作部コントローラ３１と、ユーザが操作するハードキー３２と、画面表示および操作入力受付を行う液晶タッチパネル３３と、無線ＬＡＮ（Ｗｉ−Ｆｉ等）等による無線通信を行う無線通信部３４とを備えている。操作部３は、無線通信部３４により無線アクセスポイント７を介して任意の装置とデータ通信を行うことができる。
【００１６】
図２は操作部３もしくは端末装置６、８のアプリが本体部２の機能を利用する場合のアプリ操作データの流れを示す図である。
【００１７】
図２において、ＯＳ層は、各システムを動作させるための基本ソフトウェアが配置され、上位層に対してデバイス制御、プロセス制御、メモリ制御等の基本機能を提供する。サービス層は、システムを制御するための制御サービス（電源制御、ユーザ管理、認証管理、ネットワーク管理等）を提供するプロセスが配置される。アプリ層は、画像処理装置１の各機能（プリンタ、スキャナ、ＦＡＸ等）を実現するプロセス（アプリ）が配置される。
【００１８】
操作部３は、本体部２からケーブル４により制御線と電源線が供給される。操作部３のアプリ層からのアプリ操作データは、ケーブル４を介して本体部２のサービス層に伝えられる。端末装置６、８のアプリ層からのアプリ操作データは、ネットワーク５を介して本体部２のサービス層に伝えられる。
【００１９】
図３は操作部３の外観例を示す図である。
【００２０】
図３において、操作部３の前面にはタッチパネルによる操作が可能な液晶タッチパネル３３が設けられており、その隣には液晶タッチパネル３３がオフ（ＯＦＦ）の場合にも操作可能なハードキー３２が配置されている。液晶タッチパネル３３には操作部アプリの画面が表示される。ハードキー３２には、表示される各画面で共通に利用される「戻る」や「ホーム画面表示」「ストップ」等のキーが割り当てられている。ハードキー３２にはユーザのカスタマイズにより割り当て変更することも可能である。
【００２１】
図４は本体部２および操作部３のソフトウェア構成例を示す図である。
【００２２】
図４において、本体部２のサービス層には、ユーザから要求されたジョブの処理を管理するジョブ管理モジュールＭ２１が配置されている。アプリ層には、印刷を行うためのプリンタアプリＡ２１と、文書の読み取りを行うスキャナアプリＡ２２とが配置されている。
【００２３】
操作部３のアプリ層には、広告を表示する表示モジュールＡ３１と、処理中のジョブのジョブ種別に応じて表示する広告を管理する広告管理モジュールＡ３２とが配置されている。
【００２４】
なお、本体部２もしくは操作部３に含まれる機能は、必ずしも本体部２もしくは操作部３の内部に実装される必要はなく、ネットワーク上で利用可能な機能として実現してもよい。
【００２５】
＜動作＞
図５は上記の実施形態の処理例を示すシーケンス図である。ここでは、本体部２上のアプリ（プリンタアプリＡ２１、スキャナアプリＡ２２）と、紙への印刷出力を行うプロッタデバイス（エンジン）２３と、アプリからのジョブ処理要求を管理するサービス層上のジョブ管理モジュールＭ２１と、操作部３上のアプリ（表示モジュールＡ３１、広告管理モジュールＡ３２）とが関係する処理について示している。
【００２６】
図５において、ユーザが端末装置６、８からネットワーク経由で画像処理装置１に印刷指示をすると、本体部コントローラ２１のネットワークＩ／Ｆでデータを受信し、プリンタアプリＡ２１にジョブが渡ってくる。プリンタアプリＡ２１はデータを受け付けると、ジョブ管理モジュールＭ２１に印刷ジョブ受信通知を行う（ステップＳ１０１）。
【００２７】
また、同じタイミングで画像処理装置１の前でユーザがスキャナを利用しようとしている場合、スキャナアプリＡ２２はジョブ管理モジュールＭ２１にスキャンジョブ受信通知を行う（ステップＳ１０２）。
【００２８】
ジョブ管理モジュールＭ２１では、通知を受けたジョブの処理の優先順位を決定するためにＮＶＲＡＭ（Non Volatile Random Access Memory）等に保持している優先アプリ設定の設定値を参照する（ステップＳ１０３）。なお、優先アプリ設定は初期設定でユーザが設定変更可能なパラメータである。デフォルトでは画像処理装置１の目の前のユーザを優先するため、スキャナ処理が優先されるようになっている。ここでは、優先アプリ設定がユーザにより設定変更されていて、プリンタが優先されるようになっているものとする。
【００２９】
ジョブ管理モジュールＭ２１は、処理順番を決定（ここでは優先アプリ設定に従って印刷に決定）した後、操作部３の広告管理モジュールＡ３２に対して印刷のジョブ処理開始通知を通知する（ステップＳ１０４）。
【００３０】
広告管理モジュールＡ３２は印刷のジョブ処理開始通知を受けて表示モジュールＡ３１により広告表示を行う（ステップＳ１０５）。なお、広告表示（ステップＳ１０５）の処理の詳細は後述する。
【００３１】
また、ジョブ管理モジュールＭ２１は、ジョブ処理開始通知と同じタイミングでプリンタアプリＡ２１に印刷開始要求を行う（ステップＳ１０６）。
【００３２】
プリンタアプリＡ２１は、広告表示と並行して、プロッタデバイス２３に対し印刷要求を行う（ステップＳ１０７）。プロッタデバイス２３は、ジョブを処理し、最終ベージ以外を出力し（ステップＳ１０８）、広告表示完了通知を待つ。
【００３３】
ジョブ管理モジュールＭ２１は、広告表示が完了すると、プリンタアプリＡ２１に対して広告表示完了通知を行う（ステップＳ１０９）。
【００３４】
プリンタアプリＡ２１は、プロッタデバイス２３に対しジョブ処理終了要求を行う（ステップＳ１１０）。プロッタデバイス２３は、最終ページを出力する（ステップＳ１１１）。
【００３５】
次いで、ジョブ管理モジュールＭ２１は、操作部３の広告管理モジュールＡ３２に対してスキャナのジョブ処理開始通知を通知する（ステップＳ１１２）。
【００３６】
広告管理モジュールＡ３２は、スキャナのジョブ処理開始通知を受けて表示モジュールＡ３１により広告表示を行う（ステップＳ１１３）。なお、広告表示（ステップＳ１１３）の処理の詳細は後述する。
【００３７】
また、ジョブ管理モジュールＭ２１は、ジョブ処理開始通知と同じタイミングでスキャナアプリＡ２２に読取開始要求を行う（ステップＳ１１４）。
【００３８】
スキャナアプリＡ２２は、広告表示と並行して、スキャナデバイス２２（図１）により読み取りを開始し（ステップＳ１１５）、広告表示完了通知が来るまで待つ。
【００３９】
ジョブ管理モジュールＭ２１は、広告表示が完了すると、スキャナアプリＡ２２に対して広告表示完了通知を行う（ステップＳ１１６）。
【００４０】
スキャナアプリＡ２２は、操作部３の表示モジュールＡ３１に対して読取完了表示要求を行い（ステップＳ１１７）、表示モジュールＡ３１はスキャナ原稿の読み取りが完了したメッセージを表示する（ステップＳ１１８）。
【００４１】
このように、広告表示完了後に、印刷の場合は最終ページの印刷出力を行い、スキャナの場合は読取完了メッセージの表示を行う。
【００４２】
なお、印刷の例としてネットワーク経由での印刷について説明したが、本体部２のＨＤＤ（Hard Disk Drive）等に蓄積されたジョブ（Document Box）を印刷指示する場合にも適用可能である。
【００４３】
図６は広告表示（図５のステップＳ１０５、Ｓ１１３）の処理例を示すシーケンス図である。
【００４４】
図６において、本体部２のジョブ管理モジュールＭ２１からジョブ処理開始通知を受けて処理を開始すると、広告管理モジュールＡ３２は、広告表示設定を参照し、広告表示するしないを判定する（ステップＳ２０１）。広告表示設定のＯＮ／ＯＦＦや各アプリ利用時に表示する広告や表示完了時間は事前に機器管理者が設定する。
【００４５】
広告管理モジュールＡ３２は、広告表示設定がＯＮの場合、表示する広告（画像）を選択する（ステップＳ２０２）。
【００４６】
広告管理モジュールＡ３２は、選択された広告を表示モジュールＡ３１に通知する（ステップＳ２０３）。
【００４７】
表示モジュールＡ３１は、広告の動画もしくは静止画を表示する（ステップＳ２０４）。
【００４８】
広告管理モジュールＡ３２は、広告表示設定の一部として保持する動画もしくは静止画の表示完了時間の経過後、表示モジュールＡ３１に対して広告表示終了要求を行い、広告表示を終了させる（ステップＳ２０５）。
【００４９】
これと同じタイミングで、広告管理モジュールＡ３２は、本体部２のジョブ管理モジュールＭ２１に対して広告表示完了通知を送信し（ステップＳ２０６）、広告表示が完了する。
【００５０】
図７は広告管理モジュールＡ３２の処理例を示すフローチャートである。
【００５１】
図７において、広告管理モジュールＡ３２は、ジョブ処理開始通知を待機し（ステップＳ３０１）、ジョブ処理開始通知を本体部２のジョブ管理モジュールＭ２１から受けると（ステップＳ３０２のＹｅｓ）、広告表示設定を参照し（ステップＳ３０３）、広告表示設定がＯＮの場合（ステップＳ３０４のＹｅｓ）は、広告を選択し（ステップＳ３０５）、表示モジュールＡ３１に広告表示要求を行う（ステップＳ３０６）。
【００５２】
広告管理モジュールＡ３２は、広告表示設定の表示完了時間だけ広告の描画処理を行ったあと（ステップＳ３０７）、表示モジュールＡ３１に対して広告表示終了要求を行う（ステップＳ３０８）。
【００５３】
広告管理モジュールＡ３２は、最後に広告表示完了通知を本体部２のジョブ管理モジュールＭ２１に通知し（ステップＳ３０９）、ジョブ処理開始通知待ち（ステップＳ３０１）に戻る。
【００５４】
広告表示設定がＯＦＦの場合（ステップＳ３０４のＮｏ）は、広告の表示は行わず、広告表示完了通知を本体部２のジョブ管理モジュールＭ２１に通知し（ステップＳ３０９）、ジョブ処理開始通知待ち（ステップＳ３０１）に戻る。
【００５５】
上記の例では広告管理モジュールＡ３２において表示完了時間だけ待った後に広告表示終了要求を行なっているが、操作部３のタッチパネルで広告に対するユーザ入力（広告に対するアンケート入力等）を受け付け、その結果に応じて終了要求を通知するようにすることも可能である。
【００５６】
＜総括＞
以上説明したように、本実施形態によれば、ＭＦＰ等の画像処理装置を利用し、ユーザが現在利用している画像処理装置上にタイミングよく広告を表示することで、広告を参照する頻度を向上することができる。
【００５７】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００５８】
１          画像処理装置
２          本体部
２１        本体部コントローラ
２２        スキャナデバイス
２３        プロッタデバイス
３          操作部
３１        操作部コントローラ
３２        ハードキー
３３        液晶タッチパネル
３４        無線通信部
４          ケーブル
５          ネットワーク
６          端末装置
７          無線アクセスポイント
８          端末装置
Ａ２１      プリンタアプリ
Ａ２２      スキャナアプリ
Ｍ２１      ジョブ管理モジュール
Ａ３１      表示モジュール
Ａ３２      広告管理モジュール
【先行技術文献】
【特許文献】
【００５９】
【特許文献１】特開２０１０−２１８４８９号公報
【図２】
2014174928.tif 000003
【図３】
2014174928.tif 000004
【図４】
2014174928.tif 000005
【図５】
2014174928.tif 000006
【図６】
2014174928.tif 000007
【図７】
2014174928.tif 000008
【図１】
2014174928.tif 000009